(57)【要約】    【課題】電子ペーパーを利用して配送経路上では荷物の配送に必要な情報のみを表示させることで個人情報のセキュリティを高めて適切に管理可能とする。    【解決手段】  配送伝票管理システムは、電子ペーパーを備えた伝票装置２０と、伝票装置２０を用いて配送物品の伝票を作成する伝票作成装置１６と、集配所で使用される伝票表示切替装置３０−１〜３０−３とを備える。伝票装置２０は、配送情報を表示する第１電子ペーパーと第１電子ペーパーの表示面側に積層され、マスク画像を表示して第１電子ペーパーの表示を隠蔽させる第２電子ペーパーを有する。伝票作成装置２０は送り元の住所氏名、受け取り主の住所氏名を含む配送情報を伝票装置１６に転送して第１電子ペーパーに表示させ、第１電子ペーパーに表示している配送情報の内、非表示情報に対応した第２電子ペーパーの位置にマスク画像３２を表示して隠蔽させる。    【選択図】      図１
2008217391.tif 000002
【特許請求の範囲】
【請求項１】
電子ペーパーを備えた伝票装置と、前記伝票装置を用いて配送物品の伝票を作成する伝票作成装置と、集配所で使用される伝票表示切替装置とを備えた配送伝票管理システムに於いて、
前記伝票装置は、
配送情報を表示する第１電子ペーパーと、
前記第１電子ペーパーの表示面側に積層され、マスク画像を表示して前記第１電子ペーパーの表示を隠蔽させる第２電子ペーパーと、
前記第１電子ペーパー及び第２電子ペーパーを表示制御する制御部と、
を備え、
前記伝票作成装置は、
受け取り主の住所氏名を含む配送情報を入力する配送情報入力部と、
前記配送情報を伝票装置に転送して前記第１電子ペーパーに表示させる配送情報表示部と、
前記伝票装置に表示される配送情報の中の非表示情報を指定する非表示情報指定部と、
前記非表示情報を前記伝票装置に転送し、前記第１電子ペーパーに表示している配送情報の内、前記非表示情報に対応した前記第２電子ペーパーの位置にマスク画像を表示して隠蔽させる非表示制御部と、
を備え、
前記伝票表示切替装置は、
前記伝票装置に表示される配送情報の中の非表示情報を、配送途中における次の配送先情報に応じて変更する非表示情報指定部と、
前記非表示情報を前記伝票装置に転送し、前記第１電子ペーパーに表示している配送情報の内、前記非表示情報に対応した前記第２電子ペーパーの位置にマスク画像を表示して隠蔽させる非表示制御部と、
を備えたことを特徴とする配送伝票管理システム。
【請求項２】
請求項１記載の配送伝票管理システムに於いて、前記伝票作成装置及び伝票表示切替装置の非表示情報指定部は、前記配送情報に含まれる個人情報の全部又は一部を非表示情報に指定して隠蔽させることを特徴とする配送伝票管理システム。
【請求項３】
請求項２記載の配送伝票管理システムに於いて、前記個人情報は、受け取り主の住所氏名を含み、前記伝票作成装置及び伝票表示切替装置の非表示情報指定部は、前記個人情報の内、次の集配所への搬送に必要な受け取り主の一部の住所を除く全ての個人情報を非表示情報に指定して隠蔽させることを特徴とする配送伝票管理システム。
【請求項４】
請求項１記載の配送伝票管理システムに於いて、
前記伝票作成装置の非表示情報指定部は、前記伝票装置から取得した伝票識別子と機密度を上位装置に送信し、前記上位装置から前記機密度に対応した非表示情報を受信して指定し、
前記伝票表示切替装置の非表示情報指定部は、前記伝票装置から取得した伝票識別子を前記上位装置に送信し、前記上位装置から前記伝票識別子に対応した非表示情報を受信して指定することを特徴とする配送伝票管理システム。
【請求項５】
配送情報を表示する第１電子ペーパーと、前記第１電子ペーパーの表示面側に積層され、マスク画像を表示して前記第１電子ペーパーの表示を隠蔽させる第２電子ペーパーとを備えた伝票装置を用いて配送物品の伝票を作成する伝票作成装置のコンピュータを、
受け取り主住所氏名を含む配送情報を入力する配送情報入力部、
前記配送情報を伝票装置に転送して前記第１電子ペーパーに表示させる配送情報表示部、
前記伝票装置に表示される配送情報の中の非表示情報を指定する非表示情報指定部、
前記非表示情報を前記伝票装置に転送し、前記第１電子ペーパーに表示している配送情報の内、前記非表示情報に対応した前記第２電子ペーパーの位置にマスク画像を表示して隠蔽させる非表示制御部、
として機能させることを特徴とするプログラム。
【請求項６】
配送情報を表示する第１電子ペーパーと、前記第１電子ペーパーの表示面側に積層され、マスク画像を表示して前記第１電子ペーパーの表示を隠蔽させる第２電子ペーパーとを備えた伝票装置を用いて配送物品の伝票を作成する伝票作成装置に於いて、
伝票識別子、送り主住所氏名、受け取り主住所氏名を含む配送情報を入力する配送情報入力部と、
前記配送情報を伝票装置に転送して前記第１電子ペーパーに表示させる配送情報表示部と、
前記伝票装置に表示される配送情報の中の非表示情報を指定する非表示情報指定部と、
前記非表示情報を前記伝票装置に転送し、前記第１電子ペーパーに表示している配送情報の内、前記非表示情報に対応した前記第２電子ペーパーの位置にマスク画像を表示して隠蔽させる非表示制御部と、
を備えたことを特徴とする伝票作成装置。
【請求項７】
配送物品に付帯され、配送物品の伝票を作成する伝票作成装置と、集配所で使用される伝票表示切替装置とにより制御される伝票装置に於いて、
配送情報を表示する第１電子ペーパーと、
前記第１電子ペーパーの表示面側に積層され、マスク画像を表示して前記第１電子ペーパーに表示された配送情報を隠蔽させる第２電子ペーパーと、
前記伝票作成装置から転送された前記配送情報を入力して前記第１電子ペーパーに表示すると共に、前記伝票作成装置又は伝票表示切替装置から転送された非表示情報を入力して前記第１電子ペーパーに表示している配送情報の内、前記非表示情報に対応した前記第２電子ペーパーの位置にマスク画像を表示して隠蔽させる制御部と、
を備えたことを特徴とする伝票装置。
【発明の詳細な説明】
【技術分野】
【０００１】
本発明は、配送伝票に電子ペーパーを使用した配送伝票管理システム、プログラム、記録媒体及び装置に関し、特に、電子ペーパーに表示した配送情報に含まれる個人情報を配送開始から完了まで適切に管理する配送伝票管理システム、プログラム、記録媒体及び装置に関する。
【背景技術】
【０００２】
従来の配送物品に配送伝票を付けて品物を配送する配送伝票システムとしては、例えば図１８に示すものが知られている。
【０００３】
図１８において、まず送り元１００で、送り主は伝票１０２に配送するために必要な送り先の住所や名前、送り主の住所や名前、品名等を伝票に記載して荷物と共に集荷担当者に渡す。
【０００４】
集荷担当者は配送物管理端末１０４を使用して伝票１０２に記載された伝票ＩＤ、送り元住所氏名、送り先住所氏名、品名を入力し、インターネット１０６等を介してサーバ１０８の配送物管理データベース１１０に登録する。
【０００５】
その後、荷物は、集配場１１２に集配され、集配場１１２では配送物管理端末１１４でチェックされる。その後、いくつかの集配所を経由して、最終的に、その荷物は送り先１１６に届けられることになる。
【０００６】
また電子ペーパーを配送伝票に活用した物品の配送システムも提案されており（特許文献１）、この配送システムでは、配送情報を全てサーバで一元管理し、受付時、中継時、配達時、受取時のそれぞれのタイミングでサーバにアクセスすることで、各タイミングに適した必要な情報をサーバから取得し、電子ペーパーを用いた配送伝票に表示するようにしている。
【特許文献１】特開２００４−０３８７４０号公報
【発明の開示】
【発明が解決しようとする課題】
【０００７】
しかしながら、このような従来の紙伝票を用いた配送伝票の管理にあっては、送り元または送り先の個人情報が配送経路上、不特定者の目にさらされ、送り元または送り先の氏名住所や配送品等の情報が漏れる可能性があり、個人情報等の機密性を要する情報を保護することが困難であるという問題がある。
【０００８】
また従来の配送伝票に電子ペーパーを用いた配送システムにあっては、配送情報を全てサーバで一元管理し、受付時、中継時、配達時、受取時のそれぞれのタイミングでサーバにアクセスすることで必要な情報を取得して表示しているため、伝票の表示処理に時間がかかる上、個人情報をサーバとの間で何度も送受信することからセキュリティ上の問題もある。
【０００９】
本発明は、電子ペーパーを利用して配送経路上では荷物の配送に必要な情報のみを表示させることで個人情報のセキュリティを高めて適切に管理可能とする配送伝票管理システム、プログラム、記録媒体及び装置を提供することを目的とする。
【課題を解決するための手段】
【００１０】
（システム）
本発明は配送伝票管理システムを提供する。本発明は、電子ペーパーを備えた伝票装置と、伝票装置を用いて配送物品の伝票を作成する伝票作成装置と、集配所で使用される伝票表示切替装置とを備えた配送伝票管理システムに於いて、
伝票装置は、
配送情報を表示する第１電子ペーパーと、
第１電子ペーパーの表示面側に積層され、マスク画像を表示して第１電子ペーパーの表示を隠蔽させる第２電子ペーパーと、
第１電子ペーパー及び第２電子ペーパーを表示制御する制御部と、
を備え、
伝票作成装置は、
伝票識別子、送り主の住所氏名、受け取り主の住所氏名を含む配送情報を入力する配送情報入力部と、
配送情報を伝票装置に転送して第１電子ペーパーに表示させる配送情報表示部と、
伝票装置に表示される配送情報の中の非表示情報を指定する非表示情報指定部と、
非表示情報を伝票装置に転送し、第１電子ペーパーに表示している配送情報の内、非表示情報に対応した第２電子ペーパーの位置にマスク画像を表示して隠蔽させる非表示制御部と、
を備え、
伝票表示切替装置は、
伝票装置に表示される配送情報の中の非表示情報を、配送途中における次の配送先情報に応じて変更する非表示情報指定部と、
非表示情報を伝票装置に転送し、第１電子ペーパーに表示している配送情報の内、非表示情報に対応した第２電子ペーパーの位置にマスク画像を表示して隠蔽させる非表示制御部と、
を備えたことを特徴とする。
【００１１】
ここで、伝票作成装置及び伝票表示切替装置の非表示情報指定部は、配送情報に含まれる個人情報の全部又は一部を非表示情報に指定して隠蔽させる。
【００１２】
個人情報は、送り主の住所氏名、受け取り主の住所氏名を含み、伝票作成装置及び伝票表示切替装置の非表示情報指定部は、個人情報の内、次の集配所への搬送に必要な受け取り主の一部の住所を除く全ての個人情報を非表示情報に指定して隠蔽させる。
【００１３】
伝票作成装置の非表示情報指定部は、伝票装置から取得した伝票識別子と機密度を上位装置に送信し、上位装置から前記機密度に対応した非表示情報を受信して指定し、
伝票表示切替装置の非表示情報指定部は、伝票装置から取得した伝票識別子を上位装置に送信し、上位装置から前記伝票識別子に対応した非表示情報を受信して指定する。
【００１４】
（伝票作成装置のプログラム）
本発明は伝票作成装置のプログラムを提供する。本発明のプログラムは、配送情報を表示する第１電子ペーパーと、第１電子ペーパーの表示面側に積層され、マスク画像を表示して第１電子ペーパーの表示を隠蔽させる第２電子ペーパーとを備えた伝票装置とを用いて配送物品の伝票を作成する伝票作成装置のコンピュータを、
伝票識別子、送り主住所氏名、受け取り主住所氏名を含む配送情報を入力する配送情報入力部、
配送情報を伝票装置に転送して第１電子ペーパーに表示させる配送情報表示部、
伝票装置に表示される配送情報の中の非表示情報を指定する非表示情報指定部、
非表示情報を伝票装置に転送し、第１電子ペーパーに表示している配送情報の内、非表示情報に対応した第２電子ペーパーの位置にマスク画像を表示して隠蔽させる非表示制御部、
として機能させることを特徴とする。
【００１５】
（記録媒体）
本発明は本発明は伝票作成装置のプログラムを格納した記録媒体を提供する。本発明の記憶媒体は、配送情報を表示する第１電子ペーパーと、第１電子ペーパーの表示面側に積層され、マスク画像を表示して第１電子ペーパーの表示を隠蔽させる第２電子ペーパーとを備えた伝票装置を用いて配送物品の伝票を作成する伝票作成装置のコンピュータを、
伝票識別子、送り主住所氏名、受け取り主住所氏名を含む配送情報を入力する配送情報入力部、
配送情報を伝票装置に転送して第１電子ペーパーに表示させる配送情報表示部、
伝票装置に表示される配送情報の中の非表示情報を指定する非表示情報指定部、
非表示情報を伝票装置に転送し、第１電子ペーパーに表示している配送情報の内、非表示情報に対応した前記第２電子ペーパーの位置にマスク画像を表示して隠蔽させる非表示制御部、
として機能させるプログラムを格納したことを特徴とする。
【００１６】
（伝票作成装置）
本発明は伝票作成装置を提供する。本発明は、配送情報を表示する第１電子ペーパーと、第１電子ペーパーの表示面側に積層され、マスク画像を表示して第１電子ペーパーの表示を隠蔽させる第２電子ペーパーとを備えた伝票装置を用いて配送物品の伝票を作成する伝票作成装置に於いて、
伝票識別子、送り主住所氏名、受け取り主住所氏名を含む配送情報を入力する配送情報入力部と、
配送情報を伝票装置に転送して第１電子ペーパーに表示させる配送情報表示部と、
伝票装置に表示される配送情報の中の非表示情報を指定する非表示情報指定部と、
非表示情報を伝票装置に転送し、第１電子ペーパーに表示している配送情報の内、非表示情報に対応した第２電子ペーパーの位置にマスク画像を表示して隠蔽させる非表示制御部と、
を備えたことを特徴とする。
【００１７】
（伝票装置）
本発明は伝票装置を提供する。本発明は、配送物品の伝票を作成する伝票作成装置と、集配所で使用される伝票表示切替装置により制御される配送物品に付帯される伝票装置に於いて、
配送情報を表示する第１電子ペーパーと、
第１電子ペーパーの表示面側に積層され、マスク画像を表示して第１電子ペーパーに表示された配送情報を隠蔽させる第２電子ペーパーと、
伝票作成装置から転送された配送情報を入力して第１電子ペーパーに表示すると共に、伝票作成装置又は伝票表示切替装置から転送された非表示情報を入力して第１電子ペーパーに表示している配送情報の内、非表示情報に対応した第２電子ペーパーの位置にマスク画像を表示して隠蔽させる制御部と、
を備えたことを特徴とする。
【００１８】
（伝票表示切替装置のプログラム）
本発明は伝票表示切替装置のプログラムを提供する。本発明は、配送情報を表示する第１電子ペーパーと、第１電子ペーパーの表示面側に積層され、マスク画像を表示して第１電子ペーパーの表示を隠蔽させる第２電子ペーパーとを備えた伝票装置を用いて集配所で配送物品の伝票表示を切替える伝票表示切替装置のコンピュータを、
伝票装置に表示される配送情報の中の非表示情報を、配送途中における次の配送先情報に応じて変更する非表示情報指定部、
非表示情報を伝票装置に転送し、第１電子ペーパーに表示している配送情報の内、非表示情報に対応した第２電子ペーパーの位置にマスク画像を表示して隠蔽させる非表示制御部、
として機能させることを特徴とする。
【００１９】
（伝票表示切替装置プログラムの記録媒体）
本発明は伝票表示切替装置のプログラムを格納した記録媒体を提供する。本発明の記録媒体は、配送情報を表示する第１電子ペーパーと、第１電子ペーパーの表示面側に積層され、マスク画像を表示して第１電子ペーパーの表示を隠蔽させる第２電子ペーパーとを備えた伝票装置を用いて集配所で配送物品の伝票表示を切替える伝票表示切替装置のコンピュータを、
伝票装置に表示される配送情報の中の非表示情報を、配送途中における次の配送先情報に応じて変更する非表示情報指定部、
非表示情報を伝票装置に転送し、第１電子ペーパーに表示している配送情報の内、非表示情報に対応した第２電子ペーパーの位置にマスク画像を表示して隠蔽させる非表示制御部、
として機能させることプログラムを格納したことを特徴とする。
【００２０】
（伝票表示切替装置）
本発明は伝票表示切替装置を提供する。本発明は、配送情報を表示する第１電子ペーパーと、第１電子ペーパーの表示面側に積層され、マスク画像を表示して第１電子ペーパーの表示を隠蔽させる第２電子ペーパーとを備えた伝票装置を用いて集配所で配送物品の伝票表示を切替える伝票表示切替装置に於いて、
伝票装置に表示される配送情報の中の非表示情報を、配送途中における次の配送先情報に応じて変更する非表示情報指定部と、
非表示情報を伝票装置に転送し、第１電子ペーパーに表示している配送情報の内、非表示情報に対応した第２電子ペーパーの位置にマスク画像を表示して隠蔽させる非表示制御部と、
を備えたことを特徴とする。
【発明の効果】
【００２１】
本発明によれば、荷物の配送に必要な情報のみを、配送系路上の配送に必要な区間でのみ表示させ、その区間の配送には不要な送り主や受け取り主の住所指名といった個人情報は表示させないよう伝票の表示を隠蔽し、これによって配送荷物の添付される伝票からの個人情報の流出を確実に防止し、より高度なセキュリティ性を確保した配送サービスが実現できる。
【００２２】
また伝票の表示部及び隠蔽のマスク表示に、表示切替時のみ電力を消費し、切替後は電力を必要とすることなく表示を保持できる電子ペーパーを用いることにより、低消費電力化を図ることができる。
【発明を実施するための最良の形態】
【００２３】
図１は本発明による配送伝票管理システムの実施形態を示した説明図である。図１において、本実施形態にあっては、送り元１０から集配所１２−１、１２−２を経由して配送物を送り先１４に配送する場合を例にとっている。
【００２４】
まず送り元１０にあっては、集荷担当者が伝票作成装置１６を保持しており、伝票作成装置１６には例えば電子ペン１９により入力可能な手書き入力装置などを用いた入力部１８が接続されている。入力部１８としてはこれ以外にキーボートやＧＵＩなどでもよい。
【００２５】
配送担当者は伝票作成装置１６に接続した入力部１８を送り主に渡し、電子ペン１９により配送情報を入力してもらう。配送情報は送り元１０の住所氏名、送り先１４の住所氏名、品名などを含む。更に本実施形態にあっては配送経路の途中で伝票表示の内容を隠蔽させるために必要な情報として機密度を必要に応じて入力してもらう。
【００２６】
また伝票作成装置１６は入力部１８による配送情報の入力に先立ち、電子ペーパーパネルを使用した伝票装置２０にアクセスし、そのメモリに格納している伝票ＩＤを取得している。
【００２７】
送り主による配送情報及び機密度の入力を受けた伝票作成装置１６は、伝票ＩＤ、配送情報及び機密度をインターネット２２を介してサーバ２４に送信し、配送物管理データベース２６に配送情報を登録し、機密度に基づき表示データ管理データベース２８から非表示指定データを取得する。
【００２８】
サーバ２４から機密度に対応した非表示指定データが所得できたならば、伝票作成装置１６の表示部もしくはプリンタ部などを使用して送り主１０から集配所１２−１、１２−２を介して送り先１４に至る配送区間のそれぞれにおける伝票装置２０における配送情報の非表示指定データに基づくマスク画像３２により隠蔽した表示状態を送り主に示し、送り主の確認を受ける。
【００２９】
送り主の確認が得られたならば、伝票作成装置１６から配送情報と非表示指定データを伝票装置２０に転送する。伝票装置２０は後の説明で明らかにするように、第１電子ペーパーと第２電子ペーパーを積層した構造を持っており、第１電子ペーパーに伝票作成装置１６から受信した配送情報を書き込んで固定表示する。また第２電子ペーパーに非表示指定データに基づくマスク画像３２を表示し、次の集配所１２−１までの区間に非表示指定した配送情報を隠蔽する。この伝票装置２０におけるマスク画像３２は配送区間ごとに異なった状態とする事が出来る。
【００３０】
集配所１２−１、１２−２及び送り先１４には伝票表示切替装置３０−１、３０−２、３０−３が配置されている。例えば集配所１２−１を例にとると、配送物につけられた伝票装置２０−１について、伝票表示切替装置３０−１を使用して伝票ＩＤを読み取り、読み取った伝票ＩＤをインターネット２２を介してサーバ２４に送信し、表示データ管理データベース２８から伝票ＩＤに対応した非表示指定データを取得する。
【００３１】
この非表示指定データを伝票装置２０−１に転送し、送り元１０からの区間におけるマスク画像３２を、サーバ２４から次の配送区間に対応して受け取った非表示指定データに基づくマスク画像３２に切り替える。
【００３２】
例えば送り元１０から集配所１２−１までの区間については、伝票装置２０は送り先として県名のみを表示しており、次に集配所１２−１から集配所１２−２に送る区間については、それまでマスク画像３２により隠蔽していた市を表示し、県名市名とした配送情報の表示状態とする。
【００３３】
集配所１２−２から送り先１４に送る場合にも、同様に集配所１２−２に設けている伝票表示切替装置３０−２で伝票装置２０−２から伝票ＩＤを取得してサーバ２４に送り、表示データ管理データベース２８から集配所１２−２から送り主１４の区間に対応した非表示指定データを取得し、例えば、この場合には伝票装置２０−２のマスク画像を全て解除した配送情報表示状態として送り先１４に配送することになる。
【００３４】
送り先１４の伝票表示切替装置３０−３は配送担当者が保有している装置であり、送り先１４に届けた場合には受取主の確認入力を受け、これをサーバ２４に送ることで配送物管理データベース２６に対する配送完了登録を行うことになる。
【００３５】
図２は本実施形態における伝票作成装置と伝票装置の実施形態をサーバと共に示したブロック図である。図２において、伝票作成装置１６はＣＰＵで構成される制御部３４、サーバ２４と通信を行う通信部３６、メモリ３８、伝票装置２０と通信を行う通信部４０及び電源部４２を備えている。
【００３６】
制御部３４には手書き入力装置などの入力部１８がケーブル接続されている。通信部４０による伝票装置２０との通信はＲＦタグなどの近距離無線通信部を使用してもよいし、シリアルケーブルなどを接続する有線通信部であってもよい。
【００３７】
伝票装置２０には電子ペーパーパネル５６として第１電子ペーパー５８と第２電子ペーパー６０が設けられている。第１電子ペーパー５８は配送情報を表示し、第２電子ペーパー６０は第１電子ペーパー５８の表示面側に積層されマスク画像を表示して第１電子ペーパー５８の表示を隠蔽させる。また伝票装置２０にはＣＰＵからなる制御部６２、通信部６４、メモリ６６及び電源部６８が設けられている。
【００３８】
伝票作成装置２０の制御部３４には図示しないＲＯＭなどの不揮発メモリに格納されたプログラムの実行により実現される機能として、配送情報入力部４４、配送情報表示部４６、非表示情報指定部４８及び非表示制御部５０の機能が設けられている。
【００３９】
配送情報入力部４４は入力部１８を使用して送り主の住所氏名、送り先の住所氏名を含む配送情報を入力し、これをメモリ３８に配送情報５４として記憶する。また配送情報入力部４４は伝票装置２０にアクセスし、メモリ６６に記憶されている伝票ＩＤ５２を取得してメモリ３８に記憶する。更に配送情報入力部４４は、配送情報のセキュリティに対応した機密度を併せて入力する。
【００４０】
ここで伝票作成装置２０は伝票ＩＤを伝票装置２０のメモリ６６から取得しているが、これ以外にバーコードにより伝票ＩＤを表示し、伝票作成装置２０はバーコードリーダーを用いたバーコードを読み取って伝票ＩＤを取得してもよい。
【００４１】
配送情報に入力部４４により入力した伝票ＩＤ、配送情報及び機密度は、インターネット２２を介してサーバ２４に送られ、配送物管理データベース２６に伝票ＩＤをキーとして配送情報が登録される。また機密度により表示データ管理データベース２８から配送情報の非表示指定データ５５を取得し、メモリ３８に記憶する。
【００４２】
配送情報表示部４６は配送情報５４を伝票装置２０に転送し、伝票装置２０のメモリ６６に記憶された後、制御部６２により第１電子ペーパー５８に表示させる。
【００４３】
非表示情報指定部４８はサーバ２４から配送情報の機密度に応じて取得した非表示指定データ５５を伝票装置２０に転送し、第１電子ペーパー５８に表示している配送情報の内、非表示指定データ５５に対応した第２電子ペーパーの部分にマスク画像を表示して隠蔽させる。
【００４４】
図３は本実施形態の伝票装置に設けた電子ペーパーパネルの構造を示した説明図である。本実施形態の電子ペーパーパネル５６は第１電子ペーパー５８の表示面側に第２電子ペーパー６０を積層配置している。尚、図３にあっては説明を分かりやすくするため、両者を上下に分離して示している。
【００４５】
配送情報を表示する第１電子ペーパー５８は、青用液晶層９０−１、緑用液晶層９２−１及び赤用液晶層９４−１を積層配置し、それぞれの上下に透明電極９６と透明フィルム９５を配置している。第１電子ペーパー５８の最下部に黒を表示するための光吸収層９８が設けられている。
【００４６】
青用液晶層９０−１、緑用液晶層９２−１及び赤用液晶層９４−１のそれぞれは、コレスティック液晶を使用している。コレスティック液晶は特定の波長（光）のみを反射する性質があり、それぞれ赤色、緑色、青色の決められた波長を反射し、フルカラーを表示することができる。ここで全ての色を反射する場合、光の三原色により白が見え、全ての色を反射しない場合には一番下の層となる光吸収層９８の黒が見える。
【００４７】
青用液晶層９０−１、緑用液晶層９２−１、赤用液晶層９４−１に設けられるコレスティック液晶はメモリ性を備えており、液晶に印加する電界強度（電圧）の調整により特定の波長の光を反射するプレーナ状態、光を透過するフォーカルコニック状態またはその中間的な状態のいずれかの状態をとることができる。一度プレーナ状態、フォーカルコニック状態または中間的な状態にすると、その後は電圧をかけていなくても安定してその状態を維持するメモリ性が確保できる。
【００４８】
プレーンな状態で液晶分子は基板厚方向に順次回転して螺旋構造を形成し、螺旋構造の螺旋軸は基板面にほぼ垂直となり、液晶分子の螺旋ピッチに応じた所定波長の光が選択的に反射される。
【００４９】
一方、フォーカルコニック状態での液晶分子は、基板液晶面内方向に順次螺旋回転して螺旋構造を形成し、螺旋構造の螺旋軸は基板面に平行になる。この状態で液晶層における反射波長の選択性は失われ、入射光はほとんど透過する。
【００５０】
プレーンな状態とフォーカルコニック状態の中間な状態においては、その状態に応じて反射光と透過光の割合を調整できるので反射光の強度が加減できる。
【００５１】
具体的には初期状態で各層の液晶分子は螺旋軸が基板面にほぼ垂直な、プレーナ状態にあり、光を反射する状態となっており、三原色により白の表示予定となっている。
【００５２】
この状態で光を透過させたい部分に低い電圧をかけると螺旋軸が基板面にほぼ平行となるフォーカルコニック状態となり、電圧を切ってもこの状態が維持される。光を透過するフォーカルコニック状態から光を反射するプレーンな状態に変える場合には、高い電圧をかけることで螺旋軸を基板面にほぼ垂直とすることができる。
【００５３】
このような第1電子ペーパー５８の構造に対し、その表示面側に配置される第２電子ペーパー６０は、第１電子ペーパー５８と同様、青用液晶層９０−２、緑用液晶層９２−２、赤用液晶層９４−２、それぞれの上下に配置された透明フィルム９５及び透明電極９６で構成されており、第１電子ペーパー５８の下部に配置された黒色の光吸収層９８を持たない点で相違している。
【００５４】
第２電子ペーパー６０は第１電子ペーパー５８の配送情報を全て見せる場合には各液晶層をフォーカルコニック状態として透過させる。一方、第１電子ペーパー５８の配送情報を隠蔽した場合には第１電子ペーパー５８の配送情報の隠蔽場所に対応する場所にマスク画像を表示する。
【００５５】
図４は図３の電子ペーパーパネルを用いた本実施形態による伝票表示を示した説明図である。図４（Ａ）はＸ−Ｘの断面図であり、図４（Ｂ）に正面図を示している。配送情報は第１電子ペーパーに文字７０，７２のように表示される。このとき第２電子ペーパー６０は透過状態にあり、上からの視認方向から見て第２電子ペーパー６０の下部に配置した第１電子ペーパー５８の文字７０、７２をそのまま見る事ができる。
【００５６】
図５は本実施形態における伝票表示を隠蔽するマスク画像を示した説明図である。図５（Ａ）はＸ−Ｘの断面図、図５（Ｂ）は平面図である。第１電子ペーパー５８には図４と同じ文字７０，７２を固定表示しており、この状態で例えば文字７０を隠蔽したい場合には、文字７０に対応した第２電子ペーパー６０の位置に例えば矩形のマスク画像７４を表示する。
【００５７】
ここで第２電子ペーパー６０におけるマスク画像７４の表示は、第１電子ペーパー５８における文字７０，７２の表示色と同じ表示色のマスク画像７４を表示すれば、マスク画像７４の下に文字７０が存在しても両方とも同じ表示色であることから完全に第１電子ペーパー位置の文字７０を隠蔽することができる。
【００５８】
またマスク画像７４の他の表示例としては、マスク画像７４を背景と同じ白と表示してもよい。マスク画像７４を白とする表示は、図３の第２電子ペーパー６０に示すように青用液晶層９０−２、緑用液晶層９２−２、赤用液晶層９４−２の全てをプレーナ状態とする全反射状態で実現できる。
【００５９】
図６は本実施形態の伝票作成装置２０に手書き入力される伝票フォームを示した説明図であり、手書き入力装置を用いた入力部１８に表示される。図６において、伝票フォーム７５は送り先入力部７６、送り主入力部７８及び品名入力部８０で構成されている。送り先入力部７６及び送り主入力部７８には住所氏名の入力フォームが示されており、図１に示したように送り主は図６の伝票フォーム７５が表示された手書き入力装置である入力部１８に電子ペン１９を使用して必要な配送情報を記入する。
【００６０】
尚、図６の伝票フォーム７５については機密度を表示していないが、必要に応じて機密度の高低いずれかを入力するフォームとしてもよい。伝票フォーム７５に機密度の入力がない場合には、送り主に集荷担当者が問い合わせ、伝票作成装置１６のボタン操作などにより直接入力してもよい。
【００６１】
図７は本実施形態のサーバ２４に配置された配送物管理データベース２６に格納される配送物管理データの説明図である。図７において、配送物管理データ８４は伝票ＩＤ、機密度、最終集配所、現在地などの配送情報を伝票ＩＤのレコード情報として登録している。もちろん配送情報は図６に示した伝票フォーム７５で入力した送り先住所氏名、送り主住所氏名及び品名を含んでいる。
【００６２】
図８は本実施形態のサーバ２４に配置された表示データ管理データベース２８に格納される機密度高の非表示指定データの説明図である。図８において、非表示指定データ８６は例えば図１に示した送り元１０、集配所１２−１、１２−２を経由して送り先１４に至る配送経路を例にとっており、送り元１０をＡ、集配所１２−１をＢ、集配所１２−２をＣ、送り先１４をＤとすると、各配送区間につき送り主、送り先、品名にわけて非表示である「×」と表示である「○」印を登録している。
【００６３】
例えば配送区間Ａ−Ｂについては送り先情報はその一部である「県」のみを表示して、それ以外は非表示としている。また配送区間Ｂ−Ｃについては送り先情報の一部である「県・市」を表示し、それ以外は非表示としている。更に配送区間Ｃ−送り先Ｄでは送り先情報を全て表示している。一方、送り主については送り先Ｄに達するまでは全て非表示としている。また品名についても送り先であるＤまでは全て非表示としている。
【００６４】
図９は本実施形態のサーバ２４に配置された表示データ管理データベース２８に格納される機密度低の非表示指定データの説明図である。図９の非表示指定データ８８にあっては、機密度が低であることから、全ての配送区間につき送り先、送り主、品名を表示状態としている。
【００６５】
ここで本実施形態にあっては配送情報の非表示指定を機密度が高い場合に配送情報を隠蔽するようにし、機密度が低い場合には配送情報の隠蔽を行わないようにしているが、必ずしも機密度に応じた隠蔽を行う必要がなく、機密度に依存することなく全ての配送情報につき機密度の高の場合と同様、配送区間に応じた非表示指定データに基づく一部の配送情報の隠蔽を行うようにしてもよい。
【００６６】
図１０は本実施形態の伝票作成装置１６による配送経路の伝票確認表示を示した説明図である。図１に示したように伝票作成装置１６に対し入力部１８を使用して送り主が配送情報を手書き入力し、配送情報を伝票ＩＤ、機密度とともにサーバ２４に送って非表示指定データを取得した場合、送り主に対し配送経路で伝票がどのような表示が行われるかどうかを確認表示を本実施形態では送っている。
【００６７】
この確認表示は図１０に示すように、送り元１０、集配所１２−１、１２−２及び送り先１４の各区間における伝票装置２０−１、２０−２、２０−３が配送情報の一部を隠蔽して具体的にどのように行われるかを送り主に見せることで確認する。
【００６８】
もし配送区間におけるマスク画像３２における隠蔽状態を変更したければ、必要に応じてサーバから取得した非表示指定データ、例えば図８に示した機密度高の非表示指定データの内容を伝票作成装置１６のキー操作などにより変更し、送り元の希望にあった非表示状態を作り出す。
【００６９】
この確認の際に指定データに変更があった場合には変更後の指定データをサーバ２４に送り、表示データ管理データベース２８における非表示指定データを変更後に更新する。
【００７０】
図１１は本実施形態の伝票装置２０における伝票表示位置を示した説明図である。図１１（Ａ）は電子ペーパーパネル５６における第１電子ペーパー５８使用した伝票フォームの表示状態であり、図６の入力部１８における手書き入力のための伝票ファーム７５と同様、送り先表示部７６、送り主表示部７８、品名表示部８０を表示している。
【００７１】
図１１（Ｂ）は表示位置データであり、図１１（Ａ）の各表示部における座標位置を項目名にわけて開始位置と終了位置を登録している。例えば図１１（Ａ）の送り先表示７６を示す全体の枠については、左上隅の開始位置Ｐと右下隅の終了位置Ｐ２のＸＹ座標における開始位置座標（ｘ１、ｙ１）と終了位置（ｘ２、ｙ２）を登録している。
【００７２】
このような項目名に対応した開始位置と終了位置の登録は、送り先表示部７６全体とその中の記入枠にわけて座標位置が登録され、同様に送り主表示部７６、品名表示部８０についても全体とその中の各位置の座標位置が登録されている。
【００７３】
このような第１電子ペーパーに表示する配送情報につき図１１（Ｂ）のような表示位置データ８２が得られていることで、例えば図８に示した非表示指定データにより送り先の一部となる「県」のみを表示し、それ以外を非表示としたい場合には、図１１（Ａ）の「県」の表示枠を除く残り３つの枠につき、表示位置データ８２から該当する開始位置と終了位置の座標を取得し、この位置座標に対応するマスク画像を第２電子ペーパー６０に表示することで、非表示としたい項目を隠蔽することができる。
【００７４】
図１２は図８の機密度高の非表示指定データ８６に対応した図１１（Ｂ）の表示位置データ８２を用いて第２電子ペーパー６０にマスク画像３２を表示した伝票装置２０の表示状態を示している。
【００７５】
図１２にあっては、送り先表示部７６における県名である「神奈川」のみが表示され、それ以外の送り先表示部７６はマスク画像３２により隠蔽され、更に送り主表示部７８と品名表示部８０については全領域をマスク画像３２により隠蔽している。
【００７６】
このように本実施形態にあっては、伝票装置２０の電子ペーパーパネル５６を図２に示したように第１電子ペーパー５８と第２電子ペーパー６０で構成し、仮想の電子ペーパーに伝票情報を表示し、この伝票表示の表示は配送開始から完了まで固定的な表示とし、上層の第２電子ペーパー６０に配送情報を必要に応じて隠蔽するためのマスク画像の表示を配送区間で異なるように切替表示する。
【００７７】
その結果、配送開始時には下層の第１電子ペーパー５８の配送情報のうち県名以外の領域を隠すようなマスク画像を上層の第２電子ペーパー６０に表示し、次に県内の配送に移った場合には県名をマスク画像で隠蔽し、住所氏名のみが見えるように表示し、それ以外のエリアについてはマスク画像を上層の第２電子ペーパーに表示して隠蔽し、更には配送完了時には第２電子ペーパー６０のマスク画像を全て解除して伝票情報が全て見えるようなセキュリティの高い伝票表示が実現できる。
【００７８】
また配送途中の配送情報については、伝票表示切替装置３０−１、３０−２，３０−３を使用してサーバ２４から次の区間の非表示指定データを取得してマスク画像を切替表示するだけでよく、従来システムのような配送上においてそのつどサーバから個人情報を含む配送情報を送受信する必要がなく、配送途中における高い個人情報のセキュリティ性を確保することができる。
【００７９】
図１３は本実施形態における伝票作成装置の処理を示したフローチャートであり、図２を参照して説明すると次のようになる。
【００８０】
図１３において、本実施形態の伝票作成装置２０による伝票作成処理は、まずステップＳ１で手書き入力装置などを用いた入力部１８から送り主による配送情報と機密度を読み込む。
【００８１】
続いてステップＳ２で伝票装置１６にアクセスし、そのメモリ６６に予め記憶されている伝票ＩＤを取得する。次にステップＳ３で伝票ＩＤ、配送情報及び機密度をサーバ２４に送信して登録する。
【００８２】
このサーバに対する機密度の送信に対しサーバ２４から例えば図８に示すように機密度に応じた非表示指定データを送ってくることから、ステップＳ４で非表示指定データの受信を判別すると、ステップＳ５に進み、非表示指定データに基づく配送区間での表示内容、例えば図１０に示したような各区間での伝票装置２０−１、２０−２、２０−３における伝票表示の遷移を送り主に表示して示した後、ステップＳ６で確認入力を待つ。
【００８３】
ステップＳ６で確認入力を判別すると、ステップＳ７で伝票装置２０に配送情報と非表示指定データを送信し、一つの伝票装置に対する集荷処理を終了する。このようなステップＳ１〜Ｓ７の処理を荷物の伝票装置ごとに繰り返し、ステップＳ８で停止指示があるまで繰り返す。
【００８４】
尚、ステップＳ５で非表示指定データに基づく配送区間での表示内容を表示し、もし送り主が変更希望した場合には非表示指定データを変更し、これをサーバ２４に送信して表示データ管理データベース２８を変更後に更新した後、伝票装置２０に送信して配送情報とマスク画像による一部の配送情報の隠蔽を行わせる。
【００８５】
図１４は本実施形態におけるサーバ処理を示したフローチャートであり、図２を参照して説明すると次のようになる。
【００８６】
図１４において、本実施形態のサーバ２４のサーバ処理はステップＳ１で伝票作成装置１６からの登録要求を受信したか否かチェックしており、登録要求を受信するとステップＳ２に進み、登録要求で受信した伝票ＩＤと配送情報を配送物管理データベース２６に登録する。この登録内容は例えば図７の配送物管理データ８４に示す登録内容となる。
【００８７】
次にステップＳ３で配送情報から配送経路を確定し、ステップＳ４で伝票の機密度に応じて各配送区間の非表示指定データを図８、図９に示したように機密度に応じて生成する。次にステップＳ５で伝票作成装置２０に非表示指定データを送信する。
【００８８】
ステップＳ６は図１に示した集配所１２−１、１２−２及び送り先１４に配置されている伝票表示切替装置３０−１、３０−２、３０−３から伝票ＩＤと集配所位置の情報を受信したか否か判別しており、集配所位置情報の受信を判別するとステップＳ７に進み、配送物管理データベース２６の配送経路に到着配送位置を登録した後、ステップＳ８で伝票表示切替装置に対し次の配送区間の非表示指定データを送信する。
【００８９】
ステップＳ９は伝票表示切替装置、例えば図１の送り先１４に対応した伝票表示切替装置３０−３から配送完了通知の受信を判別した場合であり、配送完了通知を判別するとステップＳ１０で配送物管理データベース２６の対応する伝票ＩＤの配送情報に配送完了を登録する。このようなステップＳ１〜Ｓ１０の処理をステップＳ１１で停止指示があるまで繰り返す。
【００９０】
図１５は本実施形態における伝票装置１６の処理を示した説明図であり、図２を参照して説明すると次のようになる。
【００９１】
本実施形態の伝票装置２０による伝票処理は、ステップＳ１で伝票作成装置１６からのデータ受信の有無をチェックしており、データ受信があるとステップＳ２に進み、伝票ＩＤの取得要求か否かステップＳ４でチェックする。この取得要求であればステップＳ３に進み、伝票ＩＤを読み出して送信する。
【００９２】
またステップＳ１で受信した伝票作成装置２０からのデータが配送情報表示要求か否かチェックし、配送情報表示要求であったならばステップＳ５に進み、第１電子ペーパー５８を動作し、第１電子ペーパー５８に配送情報を表示する。
【００９３】
配送情報の表示が済んだならばステップＳ７で第１電子ペーパー５８の動作を停止する。第１電子ペーパー５８については配送完了まで動作することなく、ステップＳ６で表示した配送情報を固定的に表示させることになる。
【００９４】
続いてステップＳ８で第２電子ペーパー６０を動作し、ステップＳ９で第２電子ペーパー６０に非表示指定データに基づくマスク画像を表示する。マスク画像の表示が済んだならばステップＳ１０で第２電子ペーパーの動作を停止する。
【００９５】
続いてステップＳ１１で伝票表示切替装置からのデータ受信を判別するとステップＳ１２に進み、第２電子ペーパー６０を動作し、ステップＳ１３で第２電子ペーパー６０に伝票表示切替装置から受信した非表示指定データに基づくマスク画像を表示した後、ステップＳ１４で第２電子ペーパー６０の動作を停止する。
【００９６】
このようなステップＳ１〜Ｓ１４の処理を配送完了によりステップＳ１５で停止指示があるまで繰り返す。
【００９７】
図１６は本実施形態による伝票切替装置の実施形態を伝票装置及びサーバと共に示したブロック図である。図１６において、伝票表示切替装置３０は、例えば図１の配送経路の集配所１２−１、１２−２、送り先１４に伝票表示切替装置３０−１、３０−２、３０-３として配置されている。
【００９８】
伝票表示切替装置３０は入力部１８を持たない点以外は、図２の伝票作成装置２０とハードウェア構成は同じであり、ＣＰＵを用いた制御部３４、サーバ２４に対する通信部３６、メモリ３８、伝票装置２０に対する通信部４０及び電源部４２で構成される。
【００９９】
制御部３４には図示ないＲＯＭに格納したプログラムの実行により実現される機能として非表示情報指定部と非表示制御部５０が設けられる。
【０１００】
非表示情報指定部４８は現在伝票装置２０に表示されている配送情報などの非表示指定データを配送途中における次の配送先の情報に応じて変更する。具体的にはサーバ２４に伝票装置２０から取得した伝票ＩＤを送信し、表示データ管理データベース２６から伝票ＩＤに対応した次の区間の非表示指定データ５５−１を取得する。
【０１０１】
非表示指定データ５５−１はサーバ２４から取得した非表示指定データ５５−１を伝票装置２０に転送し、第１電子ペーパー５８に表示している配送情報のうち非表示指定データに対応した第２電子ペーパー６０の位置にマスク画像を表示して隠蔽させる。
【０１０２】
図１７は本実施形態による伝票切替装置３０の処理を示したフローチャートであり、図１６を参照して説明すると次のようになる。
【０１０３】
図１７において、伝票表示切替装置３０の処理は、ステップＳ１で伝票装置２０から伝票ＩＤを取得した後、ステップＳ２で伝票ＩＤと配送先の位置をサーバ２４に通知する。この伝票ＩＤ、集配所位置を受けてサーバ２４にあっては表示データ管理データベース２８を参照し、図８に示した非表示指定データの中の配送区間に対応した送り先、送り主、品名に関する非表示指定データを送信してくる。
【０１０４】
サーバ２４からの非表示指定データの受信をステップＳ３で判別するとステップＳ４に進み、伝票装置２０に対し非表示データを送信し、第２電子ペーパー６０によるマスク表示の切替を行わせる。このようなステップＳ１〜Ｓ４の処理をステップＳ５で配送作業の終了指示があるまで繰り返す。
【０１０５】
本発明は図２に示した伝票作成装置２０の制御部（ＣＰＵ）３４、メモリ３８、通信部３６、４０で構成されるコンピュータのハードウェア環境で実行されるプログラムを提供する。この伝票作成処理のためのプログラムは、図１３のフローチャートに示した内容を持つ。
【０１０６】
また本発明は図２に示した伝票装置２０の制御部（ＣＰＵ）６２、通信部６４、メモリ６６及び第１電子ペーパー５８と第２電子ペーパー６０を積層したペーパーパネルを備えたコンピュータのハードウェア環境で実行されるプログラムを提供する。この伝票装置２０で実行されるプログラムは図１５のフローチャートに示した内容を持つ。
【０１０７】
更に本発明は図１６に示した伝票表示切替装置３０の制御部（ＣＰＵ）３４、通信部３６、４０及びメモリ３８で構成されるコンピュータのハードウェア環境で実行されるプログラムを提供する。この伝票表示切替装置３０で実行される図１７のフローチャートで示す内容を持つ。
【０１０８】
更に本発明は図２及び図１６に示したサーバ２４を構成するコンピュータで実行されるプログラムを提供するもので、このプログラムの内容は図１４のフローチャートに示した内容となる。
【０１０９】
サーバ２４を構成するコンピュータはＣＰＵのバスにＲＯＭ、ＲＡＭ、ハードディスクドライブ、キーボード、マウス、ディスプレイなどの付属デバイス更にインターネット２２に対する通信アダプタを接続したハードウェア環境を持ち、コンピュータを起動するとＲＯＭによるＢＩＯＳのブート処理でハードディスクドライブからＯＳをＲＡＭに読出し配置して実行した後、ハードディスクドライブから図１４のフローチャートを持つサーバ処理のためのプログラムをＲＯＭに読出し配置した後、ＣＰＵにより実行する。
【０１１０】
また本発明は、図１３の伝票作成装置２０で実行されるプログラム、図１４のサーバ２４で実行されるプログラム、図１５の伝票装置２０で実行されるプログラム、更には図１７の伝票表示切替装置３０で実行されるプログラムをそれぞれを格納した記録媒体を提供する。
【０１１１】
ここで記録媒体とはＣＤ−ＲＯＭ、フロッピーディスク（Ｒ）、ＤＶＤディスク、光磁気ディスク、ＩＣカードなどの簡易型記録媒体や、コンピュータシステム内外に備えられたハードディスクドライブの他、回線を介してプログラムを保持するデータベースあるいは他のコンピュータシステムあるいはそのデータベースや更に回線上の伝送媒体を含むものである。
【０１１２】
尚、上記の実施形態にあっては伝票装置２０の電子ペーパーパネル５６としてカラー画像を表示する第１電子ペーパー５８に同じくカラー画像を表示する第２電子ペーパー６０を積層した構造を例にとるものであったが、カラー画像ではなく単色画像を表示する電子ペーパーを第１電子ペーパー及び第２電子ペーパーとして積層した構造であってもよい。
【０１１３】
また伝票装置における第一、第二の電子ペーパーの動作を順番に行なわずに、同時に動作を開始・終了させてもよい。
【０１１４】
また上記の実施形態にあっては伝票情報を表示する第１電子ペーパーにマスク画像を表示する第２電子ペーパーを重ねた電子ペーパーパネルを例にとるものであったが、普通紙の紙伝票にマスク画像を表示する電子ペーパーを重ねた構造の伝票装置でもよい。すなわち上記の実施形態における第１電子ペーパーを紙伝票に置き換えた実施形態としてもよい。
【０１１５】
また本発明はその目的と利点を損なうことのない適宜の変形を含み、更に上記の実施形態に示した数値による限定は受けない。
【０１１６】
ここで本発明の特徴をまとめて列挙すると次の付記のようになる。
（付記）
（付記１）（システム）
電子ペーパーを備えた伝票装置と、前記伝票装置を用いて配送物品の伝票を作成する伝票作成装置と、集配所で使用される伝票表示切替装置とを備えた配送伝票管理システムに於いて、
前記伝票装置は、
配送情報を表示する第１電子ペーパーと、
前記第１電子ペーパーの表示面側に積層され、マスク画像を表示して前記第１電子ペーパーの表示を隠蔽させる第２電子ペーパーと、
前記第１電子ペーパー及び第２電子ペーパーを表示制御する制御部と、
を備え、
前記伝票作成装置は、
受け取り主の住所氏名を含む配送情報を入力する配送情報入力部と、
前記配送情報を伝票装置に転送して前記第１電子ペーパーに表示させる配送情報表示部と、
前記伝票装置に表示される配送情報の中の非表示情報を指定する非表示情報指定部と、
前記非表示情報を前記伝票装置に転送し、前記第１電子ペーパーに表示している配送情報の内、前記非表示情報に対応した前記第２電子ペーパーの位置にマスク画像を表示して隠蔽させる非表示制御部と、
を備え、
前記伝票表示切替装置は、
前記伝票装置に表示される配送情報の中の非表示情報を、配送途中における次の配送先情報に応じて変更する非表示情報指定部と、
前記非表示情報を前記伝票装置に転送し、前記第１電子ペーパーに表示している配送情報の内、前記非表示情報に対応した前記第２電子ペーパーの位置にマスク画像を表示して隠蔽させる非表示制御部と、
を備えたことを特徴とする配送伝票管理システム。（１）
【０１１７】
（付記２）（個人情報の隠蔽）
付記１記載の配送伝票管理システムに於いて、前記伝票作成装置及び伝票表示切替装置の非表示情報指定部は、前記配送情報に含まれる個人情報の全部又は一部を非表示情報に指定して隠蔽させることを特徴とする配送伝票管理システム。（２）
【０１１８】
（付記３）（次の送り先のみの表示）
付記２記載の配送伝票管理システムに於いて、前記個人情報は、受け取り主の住所氏名を含み、前記伝票作成装置及び伝票表示切替装置の非表示情報指定部は、前記個人情報の内、次の集配所への搬送に必要な受け取り主の一部の住所を除く全ての個人情報を非表示情報に指定して隠蔽させることを特徴とする配送伝票管理システム。（３）
【０１１９】
（付記４）（サーバによる非表示情報の指定）
付記１記載の配送伝票管理システムに於いて、
前記伝票作成装置の非表示情報指定部は、前記伝票装置から取得した伝票識別子と機密度を上位装置に送信し、前記上位装置から前記機密度に対応した非表示情報を受信して指定し、
前記伝票表示切替装置の非表示情報指定部は、前記伝票装置から取得した伝票識別子を前記上位装置に送信し、前記上位装置から前記伝票識別子に対応した非表示情報を受信して指定することを特徴とする配送伝票管理システム。（４）
【０１２０】
（付記５）（伝票作成装置プログラム）
配送情報を表示する第１電子ペーパーと、前記第１電子ペーパーの表示面側に積層され、マスク画像を表示して前記第１電子ペーパーの表示を隠蔽させる第２電子ペーパーとを備えた伝票装置を用いて配送物品の伝票を作成する伝票作成装置のコンピュータを、
受け取り主住所氏名を含む配送情報を入力する配送情報入力部、
前記配送情報を伝票装置に転送して前記第１電子ペーパーに表示させる配送情報表示部、
前記伝票装置に表示される配送情報の中の非表示情報を指定する非表示情報指定部、
前記非表示情報を前記伝票装置に転送し、前記第１電子ペーパーに表示している配送情報の内、前記非表示情報に対応した前記第２電子ペーパーの位置にマスク画像を表示して隠蔽させる非表示制御部、
として機能させることを特徴とするプログラム。（５）
【０１２１】
（付記６）（伝票作成装置）
配送情報を表示する第１電子ペーパーと、前記第１電子ペーパーの表示面側に積層され、マスク画像を表示して前記第１電子ペーパーの表示を隠蔽させる第２電子ペーパーとを備えた伝票装置を用いて配送物品の伝票を作成する伝票作成装置に於いて、
受け取り主住所氏名を含む配送情報を入力する配送情報入力部と、
前記配送情報を伝票装置に転送して前記第１電子ペーパーに表示させる配送情報表示部と、
前記伝票装置に表示される配送情報の中の非表示情報を指定する非表示情報指定部と、
前記非表示情報を前記伝票装置に転送し、前記第１電子ペーパーに表示している配送情報の内、前記非表示情報に対応した前記第２電子ペーパーの位置にマスク画像を表示して隠蔽させる非表示制御部と、
を備えたことを特徴とする伝票作成装置。（６）
【０１２２】
（付記７）（伝票装置）
配送物品に付帯され、配送物品の伝票を作成する伝票作成装置と、集配所で使用される伝票表示切替装置とにより制御される伝票装置に於いて、
配送情報を表示する第１電子ペーパーと、
前記第１電子ペーパーの表示面側に積層され、マスク画像を表示して前記第１電子ペーパーに表示された配送情報を隠蔽させる第２電子ペーパーと、
前記伝票作成装置から転送された前記配送情報を入力して前記第１電子ペーパーに表示すると共に、前記伝票作成装置又は伝票表示切替装置から転送された非表示情報を入力して前記第１電子ペーパーに表示している配送情報の内、前記非表示情報に対応した前記第２電子ペーパーの位置にマスク画像を表示して隠蔽させる制御部と、
を備えたことを特徴とする伝票装置。（７）
【０１２３】
（付記８）（伝票表示切替装置プログラム）
配送情報を表示する第１電子ペーパーと、前記第１電子ペーパーの表示面側に積層され、マスク画像を表示して前記第１電子ペーパーの表示を隠蔽させる第２電子ペーパーとを備えた伝票装置を用いて集配所で配送物品の伝票表示を切替える伝票表示切替装置のコンピュータを、
前記伝票装置に表示される配送情報の中の非表示情報を、配送途中における次の配送先情報に応じて変更する非表示情報指定部、
前記非表示情報を前記伝票装置に転送し、前記第１電子ペーパーに表示している配送情報の内、前記非表示情報に対応した前記第２電子ペーパーの位置にマスク画像を表示して隠蔽させる非表示制御部、
として機能させることを特徴とするプログラム。
【０１２４】
（付記９）（伝票表示切替装置）
配送情報を表示する第１電子ペーパーと、前記第１電子ペーパーの表示面側に積層され、マスク画像を表示して前記第１電子ペーパーの表示を隠蔽させる第２電子ペーパーとを備えた伝票装置を用いて集配所で配送物品の伝票表示を切替える伝票表示切替装置に於いて、
前記伝票装置に表示される配送情報の中の非表示情報を、配送途中における次の配送先情報に応じて変更する非表示情報指定部と、
前記非表示情報を前記伝票装置に転送し、前記第１電子ペーパーに表示している配送情報の内、前記非表示情報に対応した前記第２電子ペーパーの位置にマスク画像を表示して隠蔽させる非表示制御部と、
を備えたことを特徴とする伝票表示切替装置。
【図面の簡単な説明】
【０１２５】
【図１】本発明による配送伝票管理システムの実施形態を示した説明図
【図２】本実施形態による伝票作成装置と伝票装置の実施形態をサーバと共に示したブロック図
【図３】本実施形態の伝票装置における電子ペーパーパネルの構造を示した説明図
【図４】本実施形態による伝票表示を示した説明図
【図５】本実施形態による伝票表示を隠蔽するマスク画像を示した説明図
【図６】本実施形態の伝票作成装置に手書き入力される伝票フォームを示した説明図
【図７】図１のサーバに配置された配送物管理データベースに格納される配送物管理データの説明図
【図８】図１のサーバに配置された表示データ管理データベースに格納される機密度高の非表示指定データの説明図
【図９】図１のサーバに配置された表示データ管理データベースに格納される機密度低の非表示指定データの説明図
【図１０】本実施形態の伝票作成装置による配送経路の伝票確認表示を示した説明図
【図１１】本実施形態の伝票装置における伝票表示位置を示した説明図
【図１２】本実施形態の伝票装置における配送途中での隠蔽表示を示した説明図
【図１３】本実施形態における伝票作成装置の処理を示したフローチャート
【図１４】本実施形態におけるサーバ処理を示したフローチャート
【図１５】本実施形態における伝票装置の処理を示したフローチャート
【図１６】本実施形態による伝票表示切替装置の実施形態を伝票装置及びサーバと共に示したブロック図
【図１７】本実施形態による伝票表示切替装置の処理を示したフローチャート
【図１８】従来の配送伝票管理システムを示した説明図
【符号の説明】
【０１２６】
１０：送り元
１２−１，１２−２：集配所
１４：送り先
１６：伝票作成装置
１８：入力部
１９：電子ペン
２０，２０−１〜２０−３：伝票装置
２２：インターネット
２４：サーバ
２６：配送物管理データベース
２８：表示データ管理データベース
３０，３０−１〜３０−３：伝票表示切替装置
３４，６２：制御部
３２，７４：マスク画像
３６，４０，６４：通信部
３８，６６：メモリ
４２，６８：電源部
４４：配送情報入力部
４６：配送情報表示部
４８：非表示情報指定部
５０：非表示制御部
５２：伝票ＩＤ
５４：配送情報
５５，５５−１：非表示指定データ
５６：電子ペーパーパネル
５８：第１電子ペーパー
６０：第２電子ペーパー
７０，７２：表示文字
７５：伝票フォーム
７６：送り先表示部
７８：送り主表示部
８０：品名表示部
８２：表示位置データ
８４：配送物管理データ
８６，８８：非表示指定データ
９０−１，９０−２：青用液晶層
９２−１，９２−２：緑用液晶層
９４−１，９４−２：赤用液晶層
９５：透明フィルム
９６：透明電極
９８：光吸収層
【図１】
2008217391.tif 000003
【図２】
2008217391.tif 000004
【図３】
2008217391.tif 000005
【図４】
2008217391.tif 000006
【図５】
2008217391.tif 000007
【図６】
2008217391.tif 000008
【図７】
2008217391.tif 000009
【図８】
2008217391.tif 000010
【図９】
2008217391.tif 000011
【図１０】
2008217391.tif 000012
【図１１】
2008217391.tif 000013
【図１２】
2008217391.tif 000014
【図１３】
2008217391.tif 000015
【図１４】
2008217391.tif 000016
【図１５】
2008217391.tif 000017
【図１６】
2008217391.tif 000018
【図１７】
2008217391.tif 000019
【図１８】
2008217391.tif 000020